(57)【要約】【課題】乾燥中、被乾燥物の自重によって粒状の乾燥剤が潰れにくく、乾燥剤の再利用率を高めることができる植物等乾燥装置を提供する。【解決手段】乾燥容器１２の内部空間に、被乾燥物１１を乾燥容器１２から離間した状態で支持する支持体１４を配置したため、乾燥容器１２に収納された粒状の乾燥剤１３を利用し、この容器１２内で被乾燥物１１を乾燥させる際に、被乾燥物１１の自重により粒状の乾燥剤１３が潰れにくい。その結果、使用済みの乾燥剤１３を乾燥処理して再利用するときの再利用率を高めることができる。【選択図】図１
2019082267.tif 000002
【特許請求の範囲】
【請求項１】
動植物またはその加工品、さらにはその残渣である被乾燥物を収納する乾燥容器と、
該乾燥容器に収納されて、前記被乾燥物の水分を吸収する粒状の乾燥剤と、
前記乾燥容器に収納されて、該乾燥容器の内面から離間状態で前記被乾燥物を支持する支持体とを備えた植物等乾燥装置。
【請求項２】
前記乾燥容器は横長な回転ドラムで、
該回転ドラムは、回転駆動部を有する回転手段によって回転可能に設けられた請求項１に記載の植物等乾燥装置。
【請求項３】
前記被乾燥物は棒状の木材で、
前記乾燥容器は横長な回転ドラムで、
該回転ドラムは、回転駆動部を有する回転手段によって回転可能に設けられ、
前記支持体は、複数の前記被乾燥物を個別に収納する横長な複数の個別収納空間が縦横に配されたハニカム構造枠で、
各前記個別収納空間には、収納された各前記木材を位置決めするストッパが配された請求項１に記載の植物等乾燥装置。
【請求項４】
前記乾燥剤は、筒状の布袋からなるジャケットに収納され、
前記支持体は、前記ジャケットの内側空間に収納されて、該ジャケットを内側から保形する筒状の保形枠を兼ねたものである請求項１〜請求項３のうち、何れか１項に記載の植物等乾燥装置。
【請求項５】
前記被乾燥物は棒状の木材で、
前記乾燥剤は、筒状の布袋からなるジャケットに収納され、
前記支持体は、複数の前記木材を個別に収納する横長な複数の個別収納空間が縦横に配されたハニカム構造枠で、
各前記個別収納空間には、収納された各前記木材を位置決めするストッパが配され、
前記ジャケットは、前記各個別収納空間に収納された各木材と前記支持体とのうち、少なくとも何れか一方を被った請求項１に記載の植物等乾燥装置。
【請求項６】
前記ジャケットの袋内空間は、筒状の布袋からなる入れ子ジャケットにより芯側空間と鞘側空間とに区分され、
これらの芯側空間と鞘側空間とのうち、何れか一方に前記乾燥剤が収納されるともに、その他方に前記被乾燥物の臭いを除去する消臭剤が収納された請求項４または請求項５に記載の植物等乾燥装置。
【請求項７】
前記被乾燥物は棒状の木材で、
前記乾燥容器は、上面が開口して六面が矩形状の箱体で、
前記乾燥容器の下端部には、その内部空間を上下に仕切る格子状の仕切り枠が設けられ、
前記乾燥容器の仕切り枠より下方の下部空間には前記乾燥剤が収納され、
前記仕切り枠の上面には、多数の貫通孔が表裏面を貫通して形成された弾性板が敷設され、
該弾性板の上面には、前記木材が載置される吸水シート材が敷設された請求項１に記載の植物等乾燥装置。
【請求項８】
前記被乾燥物は残渣で、
前記乾燥容器は、その内部空間が、それぞれ通気孔を有する上下２枚の仕切り板により上層空間、中間層空間および下層空間に区分され、
各前記仕切り板の通気孔の形成部分には、それぞれ吸水シート材が載置され、
前記乾燥容器の下層空間には前記残渣が収納され、
前記乾燥容器の中間層空間と上層空間とのうち、何れか一方に前記乾燥剤が収納されるとともに、その他方に、前記残渣の臭いを除去する消臭剤が収納された請求項１に記載の植物等乾燥装置。
【請求項９】
前記被乾燥物は残渣で、
前記乾燥容器は、上面が開口して六面が矩形状の箱体で、
前記乾燥容器には、各上面が開口した布袋からなる複数の袋エレメントを並列状態で連結した蛇腹状ジャケットが収納され、
前記支持体は、前記乾燥容器の開口部分に櫛歯状に横架された複数の支持枠で、
前記蛇腹状ジャケットは、前記各袋エレメントに前記残渣を収納した状態で、隣り合う前記袋エレメント同士の連結部分を対応する支持枠により支持することで、前記乾燥容器内の乾燥剤に埋没される請求項１に記載の植物等乾燥装置。
【発明の詳細な説明】
【技術分野】
【０００１】
この発明は、植物等乾燥装置、詳しくは植物またはその加工品である被乾燥物を乾燥剤により乾燥させる植物等乾燥装置に関する。
【背景技術】
【０００２】
例えば、林業において、伐採直後の伐木（被乾燥物）は多量の水分が含まれている。そのため、従前の伐採現場では、樹木を根株から切り離した後、枝葉を付けたまま穂先を山頂に向かって倒し、６ヶ月間くらい放置する、一般に「アク抜き」あるいは「渋出し」と称する"葉枯らし乾燥"が行われていた。この間、伐木は枝葉を通して水分が発散し、予備的な自然乾燥がなされる。これにより、伐材の色出し効果や虫菌類（カビを含む）の被害が軽減されるとともに、伐材が軽量化して出材作業が容易となり、出材のコスト低下を図ることができる。
【０００３】
このような"葉枯らし乾燥"は、昭和３０年代に入ってから、伐木運材が機械化され、各種の人工乾燥技術の開発や、樹皮利用の低下も相まって衰退していった。ところが、この"葉枯らし乾燥"は、最近見直しの気運が高まっている。
その要因としては、近年、消費者ニーズとして高品質乾燥材の利用が増加しており、"葉枯らし乾燥"はそれが期待できる乾燥方法の一つとして注目されてきたためである。また、"葉枯らし乾燥"は自然乾燥の一種であるため、乾燥時に化石燃料や電気エネルギーが不要で、ランニングコストがかからないという利点もある。
しかしながら、"葉枯らし乾燥"では、上述したように伐採した現場で６ヶ月もの伐木の放置期間を要するため、木材の生産性が低いという課題が残っていた。
【０００４】
これを解消する従来技術として、特許文献１の「植物乾燥装置」が開発された。これは、被乾燥物の少なくとも一部を、乾燥容器に投入した粉粒状の乾燥剤に埋没し、この状態を維持して、被乾燥物の水分を乾燥剤に吸収させるものである。
【先行技術文献】
【特許文献】
【０００５】
【特許文献１】特許第６１８９５６３号公報
【発明の開示】
【発明が解決しようとする課題】
【０００６】
しかしながら、特許文献１の「植物乾燥装置」では、このように被乾燥物の少なくとも一部を、乾燥容器に投入した粉粒状の乾燥剤に埋没させていた。そのため、市場に安価で出回るシリカゲルなどの粒状の乾燥剤を利用して木材を乾燥させる際、木材の自重により粒状の乾燥剤が潰れてしまい、乾燥剤を再利用することができないという問題があった。
また、長期間の乾燥中、木材からは多量の樹液（有機物）が染み出てくる。この有機物が粒状の乾燥剤の表面に付着して被膜を形成し、乾燥剤の吸湿率を低下させていた。その結果、木材の乾燥期間が長くなっていた。
【０００７】
そこで、発明者は鋭意研究の結果、乾燥容器の内部空間に、木材（被乾燥物）を支持する支持体を配置すれば、粒状の乾燥剤を利用して木材を乾燥させる際、木材の自重が作用しても粒状の乾燥剤が潰れにくいことを知見し、この発明を完成させた。
また、発明者は鋭意研究の結果、乾燥剤を木材に直接接触させるのではなく、乾燥剤と木材との間に、樹液などの有機物を吸着可能な布やスポンジといったシート状の吸水材を介在させれば、粒状の乾燥剤の表面に有機物の被膜（有機被膜）を形成しにくいことを知見し、この発明を完成させた。
【０００８】
すなわち、この発明は、乾燥中、被乾燥物の自重によって粒状の乾燥剤が潰れにくく、乾燥剤の再利用率を高めることができる植物等乾燥装置を提供することを目的としている。
また、この発明は、乾燥中、被乾燥物から染み出た有機物が被膜状に乾燥剤に付着することにより発生する乾燥剤の吸湿性の低下を防止することができる植物等乾燥装置を提供することを目的としている。
【課題を解決するための手段】
【０００９】
請求項１に記載の発明は、動植物またはその加工品、さらにはその残渣である被乾燥物を収納する乾燥容器と、該乾燥容器に収納されて、前記被乾燥物の水分を吸収する粒状の乾燥剤と、前記乾燥容器に収納されて、該乾燥容器の内面から離間状態で前記被乾燥物を支持する支持体とを備えた植物等乾燥装置である。
【００１０】
被乾燥物は、各種の植物、各種の動物でも、各種の植物の加工品または各種の動物の加工品でもよい。また、植物や動物を含む残渣（生ごみ）でもよい。
植物の種類は限定されない。例えば、伐材を含む各種の木材、各種の野菜（キャッサバを含む）、各種の果物、各種の穀物、雑草、バイオマスなどを採用することができる。
植物の加工品としては、例えば、各種の木質燃料ペレット（木質バイオマスペレット）、各種のカット野菜、各種のカット果物などを採用することができる。
植物の残渣の種類は限定されない。例えば、おから、柑橘類（ミカン、カボスなど）の皮や実、キノコ類（しいたけ、えのき、マイタケなど）の石づきなどが挙げられる。
【００１１】
また、動物の種類は限定されない。例えば、各種の肉、各種の魚介類などを採用することができる。
動物の加工品としては、例えば、各種のハム、各種のソーセージ、各種のてんぷら、各種の魚や肉の干物などを採用することができる。
動物の残渣の種類は限定されない。例えば、腐敗した生肉、腐敗した加工肉、骨などが挙げられる。
被乾燥物は乾燥剤の中に埋没させても、させなくてもよい。
【００１２】
乾燥容器としては、例えば、各種の金属、各種のプラスチック、各種の木などからなる剛体の容器を採用することができる。
乾燥容器の形状は任意である。例えば、角型または丸型のカップ状やトレイ状、六面が矩形状の箱状などを採用することができる。
乾燥容器は静止型のものでも、移動型（回転式、揺動式など）のものでもよい。
【００１３】
乾燥剤の種類は限定されない。例えば、化学的乾燥剤でも、物理的乾燥剤でもよい。化学的乾燥剤としては、例えば、生石灰、塩化カルシウムを採用することができる。また、物理的乾燥剤としては、例えば、シリカゲル、シリカアルミゲル、モレキュラーシーブ、アロフェン、ゼオライト、クレイなどを採用することができる。
粒状の乾燥剤の直径は０．０１〜１０ｍｍ、好ましくは直径０．０１〜１ｍｍである。
【００１４】
乾燥容器には、乾燥剤と接触することにより、乾燥剤の吸湿度合いを色の変化によって表示する湿度インジケータを収納してもよい。湿度インジケータの指示薬としては、例えば、塩化コバルト、臭化コバルトなどを採用することができる。その他、コバルトを何れも含まない無機化合物系指示薬や有機化合物系指示薬でもよい。湿度インジケータの形状は任意である。例えば、球状、多面体状、カード状などを採用することができる。
【００１５】
支持体の素材は任意である。例えば、ステンレスなどの各種の金属、各種のプラスチック、各種の木などからなる剛体を採用することができる。
支持体による被乾燥物の支持構造は、被乾燥物を乾燥容器の内面から離間状態で支持できれば任意である。例えば、載置構造、吊り下げ構造、片持ち構造などを採用することができる。
支持体の形状は任意である。例えば、格子状、ハニカム状、棒状、板状などを採用することができる。
支持体の大きさも限定さない。支持される被乾燥物の大きさに応じて適宜変更される。
【００１６】
請求項２に記載の発明は、前記乾燥容器は横長な回転ドラムで、該回転ドラムは、回転駆動部を有する回転手段によって回転可能に設けられた請求項１に記載の植物等乾燥装置である。
【００１７】
回転ドラムは、１層式のものでも、内外複層式のものでもよい。
回転ドラムの内周面には、収納された物を撹拌する撹拌羽根を１つまたは２つ以上配設したものでもよい。
回転駆動部としては、各種のアクチュエータ（電動モータ、油圧モータなど）を採用することができる。
回転手段としては、回転駆動部の回転力により、ドラム軸を中心にして回転ドラムを回転できるものであれば任意である。
回転駆動部の回転力をドラム軸に伝達する動力伝達構造としては、例えば、プーリと無端ベルトとを有したベルト式のもの、ギヤ式のものなどを採用することができる。
【００１８】
また、回転ドラムには、ドラム内の乾燥剤を乾燥するヒータを設けてもよい。これにより、被乾燥物の乾燥に伴い、乾燥剤の吸湿度合いが高まったとき、ヒータの熱によりドラム内の乾燥剤を乾燥させ、その機能を回復させることができる。また、この乾燥剤のヒータによる乾燥は、回転ドラムの外で行うようにしてもよい。
ヒータとしては、電気、蒸気、ガスなどエネルギーとした各種の発熱体の他、バイオマスなどの燃料を燃焼させるものなどを採用することができる。特に、電熱ヒータ、各種の温風ヒータが好ましい。
また、ヒータによるドラム内の乾燥剤の乾燥中、その熱を利用して発生した水蒸気によりタービンを回転させ、発電を行ってもよい。
【００１９】
請求項３に記載の発明は、前記被乾燥物は棒状の木材で、前記乾燥容器は横長な回転ドラムで、該回転ドラムは、回転駆動部を有する回転手段によって回転可能に設けられ、前記支持体は、複数の前記被乾燥物を個別に収納する横長な複数の個別収納空間が縦横に配されたハニカム構造枠で、各前記個別収納空間には、収納された各前記木材を位置決めするストッパが配された請求項１に記載の植物等乾燥装置である。
【００２０】
棒状の木材としては、例えば、伐採直後の伐木、木材工場で加工された角柱、丸柱（丸太）などが挙げられる。
ハニカム構造枠の形状は任意である。個別収納空間を縦方向（高さ方向）および横方向（水平方向）に複数有した枠体であればよい。例えば、平行に離間した２枚以上の格子パネルを連結材により連結したものでもよい。
個別収納空間を正面視した形状は任意である。例えば、正方形、六角などの多角形でもよい。その他、円形、楕円形でもよい。
個別収納空間のサイズは任意である。収納する木材のサイズに応じて適宜変更される。
【００２１】
ここでいうストッパとは、ドラム回転中に各木材が移動（特に、個別収納空間からの落下）しないように、各木材を個別収納空間に位置決め（位置固定）するための部材である。
ストッパの素材は任意である。例えば、各種の金属、各種のプラスチック、各種の木などを採用することができる。
ストッパの形状は任意である。例えば、棒形状、クサビ形状、筒形状などでもよい。
ストッパの使用数は１つでも、複数でもよい。
【００２２】
請求項４に記載の発明は、前記乾燥剤は、筒状の布袋からなるジャケットに収納され、前記支持体は、前記ジャケットの内側空間に収納されて、該ジャケットを内側から保形する筒状の保形枠を兼ねたものである請求項１〜請求項３のうち、何れか１項に記載の植物等乾燥装置である。
【００２３】
ジャケットの素材としては、例えば、各種の布帛（織布、不織布、編布）を採用することができる。布帛は吸水性が高いものの方が、被乾燥物から染み出る液状（ゲル状、ゾル状を含む）の有機物の吸収性が高いために好ましい。
ジャケットの形状は、筒状の袋であれば任意である。例えば、円筒袋状、角筒袋状などを採用することができる。
保形枠の形状は、ジャケットを内側から支持可能な形状であれば任意である。例えば、円筒状、角筒状などでもよい。
【００２４】
請求項５に記載の発明は、前記被乾燥物は棒状の木材で、前記乾燥剤は、筒状の布袋からなるジャケットに収納され、前記支持体は、複数の前記木材を個別に収納する横長な複数の個別収納空間が縦横に配されたハニカム構造枠で、各前記個別収納空間には、収納された各前記木材を位置決めするストッパが配され、前記ジャケットは、前記各個別収納空間に収納された各木材と前記支持体とのうち、少なくとも何れか一方を被った請求項１に記載の植物等乾燥装置である。
ジャケットにより被われるものは、各個別収納空間に収納された木材のみ、支持体のみ、またはこれらの両方である。
【００２５】
請求項６に記載の発明は、前記ジャケットの袋内空間は、筒状の布袋からなる入れ子ジャケットにより芯側空間と鞘側空間とに区分され、これらの芯側空間と鞘側空間とのうち、何れか一方に前記乾燥剤が収納されるともに、その他方に前記被乾燥物の臭いを除去する消臭剤が収納された請求項４または請求項５に記載の植物等乾燥装置である。
【００２６】
入れ子ジャケットの素材は、ジャケットと同様に、例えば、各種の布帛（織布、不織布、編布）を採用することができる。
芯側空間と鞘側空間との大きさは任意である。ただし、乾燥剤が収納される方を大きくした方が被乾燥物の乾燥効率が高まるため好ましい。
乾燥剤および消臭剤は、芯側空間と鞘側空間との何れに収納してもよい。ただし、乾燥剤を芯側空間、消臭剤を鞘側空間に収納した方が好ましい。その理由は、あらかじめ被乾燥物の臭気を、ある程度脱臭剤によって除去した後、乾燥剤により乾燥した方が、乾燥剤を長く使用することができるためである。
消臭剤としては、例えば、活性炭、ゼオライト、酸化亜鉛、酸化チタンなどの光触媒系消臭剤を採用することができる。その他、各種のバイオ系消臭剤などでもよい。
また、消臭剤として、例えば、活性炭入り繊維や光触媒入り繊維を採用してもよい。
【００２７】
請求項７に記載の発明は、前記被乾燥物は棒状の木材で、前記乾燥容器は、上面が開口して六面が矩形状の箱体で、前記乾燥容器の下端部には、その内部空間を上下に仕切る格子状の仕切り枠が設けられ、前記乾燥容器の仕切り枠より下方の下部空間には前記乾燥剤が収納され、前記仕切り枠の上面には、多数の貫通孔が表裏面を貫通して形成された弾性板が敷設され、該弾性板の上面には、前記木材が載置される吸水シート材が敷設された請求項１に記載の植物等乾燥装置である。
【００２８】
乾燥容器としては、例えば、上板を除去したコンテナなどを採用することができる。
仕切り枠としては、例えば、各種の金属、各種のプラスチック、各種の木からなる複数の梁（棒材）を格子状に組んだものを採用することができる。
弾性板の素材は任意である。例えば、天然ゴム、各種の合成ゴムなどを採用することができる。
貫通孔は、弾性板の全面またはその一部に形成される。貫通孔のサイズ、形状および形成数は任意である。
吸水シート材は、木材の表面から漏出した有機物を吸着するためのシートである。
吸水シート材の素材としては、例えば、天然繊維または合成繊維からなる各種の布帛を採用することができる。その他、スポンジや綿などでもよい。
【００２９】
請求項８に記載の発明は、前記被乾燥物は残渣で、前記乾燥容器は、その内部空間が、それぞれ通気孔を有する上下２枚の仕切り板により上層空間、中間層空間および下層空間に区分され、各前記仕切り板の通気孔の形成部分には、それぞれ吸水シート材が載置され、前記乾燥容器の下層空間には前記残渣が収納され、前記乾燥容器の中間層空間と上層空間とのうち、何れか一方に前記乾燥剤が収納されるとともに、その他方に、前記残渣の臭いを除去する消臭剤が収納された請求項１に記載の植物等乾燥装置である。
【００３０】
残渣としては、例えば、家庭、飲食店を含む店舗、食品工場などから排出される植物またはその加工品を含む廃棄物である。残渣には、動物性のものを含んでもよい。
乾燥容器は密閉容器とした方が、残渣の臭いが外へ漏れないために好ましい。
乾燥剤および消臭剤は、上層空間、中間層空間の何れに収納してもよい。ただし、乾燥剤を上層空間、消臭剤を中間層空間に収納した方が好ましい。これは、あらかじめ被乾燥物の臭気を、ある程度脱臭剤によって除去した後、乾燥剤により乾燥した方が、乾燥剤を長く使用することができるという理由による。
また、下層空間に残渣を収納するのは、残渣に含まれた有機物を含む液分が、通気孔を通して残渣収納層より下層へ滴り落ちないようにするためである。
【００３１】
請求項９に記載の発明は、前記被乾燥物は残渣で、前記乾燥容器は、上面が開口して六面が矩形状の箱体で、前記乾燥容器には、各上面が開口した布袋からなる複数の袋エレメントを並列状態で連結した蛇腹状ジャケットが収納され、前記支持体は、前記乾燥容器の開口部分に櫛歯状に横架された複数の支持枠で、前記蛇腹状ジャケットは、前記各袋エレメントに前記残渣を収納した状態で、隣り合う前記袋エレメント同士の連結部分を対応する支持枠により支持することで、前記乾燥容器内の乾燥剤に埋没される請求項１に記載の植物等乾燥装置である。
【００３２】
各袋エレメントは、同一のものでも、そうでないものでもよい。
各袋エレメント間は、それぞれの開口部分を直接連結（縫着）しても、連結布を介して間接的に連結してもよい。
蛇腹状ジャケットを構成する袋エレメントの使用数は、複数であれば任意である。
支持枠の使用数は、袋エレメントの使用数により適宜変更される。
【発明の効果】
【００３３】
請求項１に記載の発明によれば、乾燥容器の内部空間に、被乾燥物を乾燥容器から離間した状態で支持する支持体を配置したため、乾燥容器に収納された粒状の乾燥剤を利用し、この容器内で被乾燥物を乾燥させる際に、被乾燥物の自重により粒状の乾燥剤が潰れにくい。その結果、使用済みの乾燥剤を乾燥処理して再利用するときの再利用率を高めることができる。
【００３４】
特に、請求項２に記載の発明によれば、回転駆動部により回転手段を作動して回転ドラムを回転させ、乾燥剤を撹拌して被乾燥物を乾燥させる。これにより、乾燥中に、被乾燥物と接触する乾燥剤の総数が、撹拌しない場合に比べて多くなる。その結果、被乾燥物の乾燥効率を高めることができる。
また、ドラム回転中、被乾燥物は、支持体によりドラム内面から離間した状態で支持される。そのため、回転ドラムの回転に伴う被乾燥物の移動による乾燥剤の潰れがなくなる。
【００３５】
また、請求項３に記載の発明によれば、回転ドラム内に収納されたハニカム構造枠の各個別収納空間にそれぞれ木材を収納し、各木材をストッパにより位置決めする。これにより、回転ドラムを回転しながら各木材を同時乾燥する際、各木材を互いに隙間をあけた縦横方向へ整列した状態で、均一に乾燥させることができる。しかも、ドラム回転に伴い木材同士が衝突して損傷することもない。
【００３６】
さらに、請求項４に記載の発明によれば、乾燥剤が収納されたジャケットを乾燥容器に収納し、ジャケットの内側空間に保形枠を収納して、ジャケットを内側から保形する。その後、この状態のまま、保形枠の内側空間に被乾燥物を収納して、これを乾燥させる。
このように、乾燥剤を被乾燥物に直接接触させるのではなく、乾燥剤と被乾燥物との間に、布製のジャケットを介在させたため、被乾燥物から染み出した有機物はジャケットに付着する。これにより、有機物が粒状の乾燥剤の表面に付着して被膜が形成されるおそれが少なくなり、この有機被膜を原因とした乾燥剤の吸湿性の低下を防止することができる。また、乾燥剤は、ジャケットを介して被乾燥物と非接触状態となるため、有機物を接着剤として、乾燥剤が被乾燥物に貼り付くおそれも少ない。
【００３７】
請求項５に記載の発明によれば、乾燥容器内に配されたハニカム構造枠の各個別収納空間に木材を収納し、各木材をストッパによって位置決めする。このとき、各個別収納空間に収納された各木材と支持体とのうち、少なくとも何れか一方は、乾燥剤入りのジャケットによって被われている。そのため、縦横に整列された複数本の木材を、乾燥剤により同時に乾燥することができる。
しかも、この乾燥中、木材から染み出した樹液（有機物）は、ジャケット（布袋）により吸着される。そのため、有機物が粒状の乾燥剤の表面に付着して発生する有機被膜を原因とした乾燥剤の機能低下を防止することができる。
【００３８】
請求項６に記載の発明によれば、ジャケットの袋内空間が、入れ子ジャケットによって芯側空間と鞘側空間とに区分され、芯側空間と鞘側空間とのうち、何れか一方に乾燥剤が収納され、その他方に消臭剤が収納されている。これにより、被乾燥物の乾燥時にジャケットを使用することで、被乾燥物の消臭と乾燥とを同時に行うことができる。また、ジャケット内の乾燥剤と消臭剤とが、入れ子ジャケットにより仕分けされているため、例えば乾燥剤や消臭剤が機能低下した場合、それぞれ単独で新しいものに交換することができる。
【００３９】
請求項７に記載の発明によれば、乾燥容器の内部空間のうち、仕切り枠より下方の下部空間に乾燥剤を収納し、弾性板および吸水シート材を介して、仕切り枠上に木材を載置してこれを乾燥させる。木材から染み出した樹液は吸水シート材が吸着しつつ、木材の表面から蒸発した水分は、吸水シート材と弾性板の貫通孔とを通過し、乾燥剤により吸収される。
これにより、有機物が粒状の乾燥剤の表面に付着して現出した被膜による乾燥剤の機能低下を防止しつつ、木材を効果的に乾燥させることができる。
【００４０】
請求項８に記載の発明によれば、乾燥容器の下層空間に残渣を収納し、乾燥容器の中間層空間と上層空間とのうち、何れか一方に乾燥剤を収納するとともに、その他方に消臭剤を収納して、残渣の乾燥を行う。これにより、残渣から発生する臭いを除去しながら、残渣を吸湿乾燥させることができる。
【００４１】
請求項９に記載の発明によれば、蛇腹状ジャケットの各袋エレメントに残渣を収納した状態で、隣り合う袋エレメント同士の連結部分を、乾燥剤が充填された乾燥容器の開口部分に横架された各支持枠により支持する。これにより、残渣が投入された各袋エレメントは、櫛歯状の各支持枠に支持（吊下）された状態で、乾燥剤に埋没される。
このとき、各袋エレメントは、この櫛歯状に配置された支持枠によって支持されている。そのため、残渣の重量により乾燥剤が潰れることはなく、多量の残渣を一度に乾燥させることができる。
【図面の簡単な説明】
【００４２】
【図１】この発明の実施例１に係る植物等乾燥装置の分解斜視図である。
【図２】この発明の実施例２に係る植物等乾燥装置の使用状態を示す斜視図である。
【図３】この発明の実施例２に係る植物等乾燥装置の一部を構成する支持体の斜視図である。
【図４】この発明の実施例２に係る植物等乾燥装置の一部を構成するジャケットの別形態を示す断面図を含む斜視図である。
【図５】この発明の実施例３に係る植物等乾燥装置の一部拡大断面図を含む使用状態の要部斜視図である。
【図６】この発明の実施例４に係る植物等乾燥装置の一部拡大断面図を含む要部斜視図である。
【図７】この発明の実施例４に係る植物等乾燥装置の一部を構成する回転ドラムの回転構造を示す側面図である。
【図８】この発明の実施例５に係る植物等乾燥装置の長さ方向に直交する縦断面図である。
【図９】この発明の実施例５に係る別態様の植物等乾燥装置の使用状態を示す縦断面図である。
【図１０】この発明の実施例６に係る植物等乾燥装置の使用状態を示す縦断面図である。
【図１１】この発明の実施例７に係る植物等乾燥装置の使用状態を示す斜視図である。
【図１２】この発明の実施例８に係る植物等乾燥装置の使用状態を示す分解斜視図である。
【図１３】この発明の実施例８に係る植物等乾燥装置の使用状態を示す要部縦断面図である。
【発明を実施するための形態】
【００４３】
以下、この発明の実施例を、図面を参照して具体的に説明する。
【実施例】
【００４４】
図１において、１０はこの発明の実施例１に係る植物等乾燥装置で、この植物等乾燥装置１０は、丸太状の伐木（被乾燥物）１１を収納する乾燥容器１２と、乾燥容器１２に収納されて、伐木１１の水分を吸収する粒状のシリカゲル（乾燥剤）１３と、乾燥容器１２に収納されて、伐木１１を支持する支持体１４とを備えたものである。
【００４５】
以下、これらの構成体を具体的に説明する。
乾燥容器１２は、横向きの円筒容器で、その内部空間の外周部には、直径４ｍｍの粒状のシリカゲル１３が充填された円筒状の布袋からなるジャケット１５が収納されている。ジャケット１５の直径は、乾燥容器１２の内径と略同一である。ジャケット１５の端面には、使用により吸湿性が低下したシリカゲル１３を新しいものに交換しやすいように、環状の線状ファスナ１６が形成されている。
支持体１４は、ジャケット１５の内側空間に収納されて伐木１１を支持するとともに、ジャケット１５を内側から保形するための円筒状の保形枠１７を兼ねている。
【００４６】
支持体１４は、平行に離間した先端側リング１８と基端側リング１９とが、その周方向へ所定ピッチで配された多数のステー２０によって連結された円筒状の前記保形枠１７を本体とする。
保形枠１７を構成する各部材１８〜２０の外周面は、伐木１１に対する緩衝材となる厚地の合成樹脂塗膜によって被覆されている。保形枠１７の直径は、ジャケット１５の内径と略同一である。また、先端側リング１８には、挿入された伐木１１を受ける金網２１が展張されている。また、保形枠１７の開口する基端部の外周面には、厚肉なフランジ２２が突設されている。このフランジ２２が、乾燥容器１２の開口部に着脱可能に連結される。これにより、乾燥時、横置き状態の保形枠１７に複数の伐木１１を収納しても、ジャケット１５の下部に収納されたシリカゲル１３が、各伐木１１の荷重によって潰れにくい。
【００４７】
次に、図１を参照して、この発明の実施例１に係る植物等乾燥装置１０による伐木１１の乾燥方法を説明する。ここでは、樹木（杉）の伐採現場から切り出されて、木材工場に搬入された伐木１１に対して、"葉枯らし乾燥"と同じような"アク抜き（渋出し）"に利用するものとする。
すなわち、木材工場において、伐採されて丸太状にカットされた各伐木１１を、横置きの乾燥容器１２に、ジャケット１５を介して収納された支持体１４（保形枠１７）の内部空間に挿入する。この状態で、約１カ月間、シリカゲル１３を適宜交換しながら伐木１１を放置する。
【００４８】
このとき、乾燥容器１２に風速が低い風（微風）を供給すれば、無風状態の場合に比べて伐木１１の乾燥時間を短縮することができる（例えば、おから、キノコ類、干し芋、消費期限を過ぎた弁当など、その他の被乾燥物も同じ）。
すなわち、伐木１１を含む木材の乾燥時、木材の表面からの水分の蒸発は、木材の表面温度、表面含水率および環境空気の温度、関係湿度、風速によって決まる。言い換えれば、境界層における水蒸気圧傾斜に関係する。そのため、無風状態のときに比べて風を付与したときの方が、伐木１１の表面からの水分の蒸発性が高まり、乾燥時間が短くなる。
【００４９】
なお、伐木１１の乾燥時間をさらに速めるために、乾燥容器１２を密封してその内部空間を減圧してもよい。これにより、伐木１１の内部と表面との含水率差（水蒸気分圧の差）が大きくなって、伐木１１に含まれる水分の拡散を促進させることができる。また、乾燥容器１２の減圧と常圧とを所定時間ごとに繰り返すようにすれば、伐木１１の内部において、水の拡散による水分移動に加えて、圧力差による水分移動が作用する。その結果、伐木１１の乾燥時間をさらに短縮することができる。この場合、組織を壊していけないものは減圧沸騰させない。一方、組織を壊してもよい残渣などは、減圧沸騰させて出現した水滴をワイパーなどで拭き、乾燥を促進させることができる。
【００５０】
この間、当初は含水率１５０％だった伐木１１の水分がシリカゲル１３に吸収され、伐木１１の含水率が目標含水率３０％以下に低下する。これにより、伐木１１の乾燥時、伐木１１を乾燥させる熱源確保のための化石燃料や電気エネルギーが不要になるとともに、"葉枯らし乾燥"と同等の効果を、この乾燥を行うときより短い期間で得ることができる。
ここでいう「葉枯らし乾燥と同等の効果」としては、屋外での天日乾燥の一種となるため、製品木材の材色や艶が良くなるとともに、ヒータ加熱による人工乾燥時の課題であった、含水率の低下に伴った伐木１１の収縮や割れなどの抑制効果が挙げられる。
【００５１】
また、乾燥容器１２の内部空間に、伐木１１を支持する支持体１４を配置したため、ジャケット１５に充填された粒状のシリカゲル１３を利用して、乾燥容器１２内で伐木１１を乾燥させる際、伐木１１の自重によりジャケット１５内の粒状のシリカゲル１３が潰れにくい。これにより、その後、乾燥容器１２から取り出した使用済みのシリカゲル１３を乾燥させて再利用する際、その再利用率を高めることができる。
また、このようにシリカゲル１３を伐木１１に直接接触させるのではなく、シリカゲル１３と伐木１１との間に、ジャケット１５を介在しているため、伐木１１から染み出した樹液（有機物）は、布製のジャケット１５に付着する。これにより、樹液が粒状のシリカゲル１３の表面に付着し、シリカゲル１３に有機被膜が現出するおそれが少ない。その結果、有機被膜を原因としたシリカゲル１３の吸湿性の低下を防止することができる。また、シリカゲル１３は、ジャケット１５を介して、伐木１１と非接触状態となるため、樹液を接着剤として伐木１１にシリカゲル１３が貼り付くおそれもない。
【００５２】
次に、図２〜図４を参照して、この発明の実施例２に係る植物等乾燥装置を説明する。
図２および図３に示すように、実施例２の植物等乾燥装置１０Ａの特徴は、実施例１の伐木１１に代えて雑草２３や軽量のバイオマス２４を採用し、乾燥容器１２Ａを縦置き状態で使用するとともに、乾燥容器１２Ａに密閉用の蓋２５を設けた点である。
実施例２の植物等乾燥装置１０Ａの使用に際しては、縦置き状態の乾燥容器１２Ａにジャケット１５を介して収納された支持体１４Ａの内部空間に、保形枠１７の開口から雑草２３やバイオマス２４を挿入する。この状態で、約１日間、シリカゲル１３を適宜交換しながら伐木１１を木材工場に放置する。この間、雑草２３やバイオマス２４の水分がシリカゲル１３に吸収され、その含水率が低下する。
【００５３】
これらの乾燥中、例えば、雑草２３やバイオマス２４から悪臭が発生することがある。そこで、悪臭を除去するため、例えば、図４に示すように、ジャケット１５の袋内空間に、筒状の布袋からなる入れ子ジャケット２６を収納し、これによりジャケット１５の袋内空間を芯側空間２７と鞘側空間２８とに区分し、このうち芯側空間２７にシリカゲル１３を収納するとともに、鞘側空間２８に雑草２３やバイオマス２４の臭いを除去する活性炭（消臭剤）２９を収納してもよい。このように構成すれば、雑草２３やバイオマス２４の消臭と乾燥とを同時に行うことができる。特に、活性炭２９を鞘側空間２８に収納したため、あらかじめ雑草２３やバイオマス２４の臭気を、ある程度活性炭２９によって除去した後、活性炭２９により乾燥した方が、活性炭２９を長く使用することができる。
その他の構成、作用および効果は、実施例１から推測可能な範囲であるため説明を省略する。
【００５４】
次に、図５を参照して、この発明の実施例３に係る植物等乾燥装置を説明する。
図５に示すように、実施例３の植物等乾燥装置１０Ｂの特徴は、被乾燥物として角材１１Ａ（木材）１１Ａを採用し、乾燥容器１２Ｂとして、長さ方向の両端面が正方形状である横長な箱体を採用し、ジャケット１５Ａは、乾燥容器１２Ｂの内部空間の外周部に配される角筒状の大型の布袋とし、また支持体１４Ｂは、複数の角材１１Ａを個別に収納可能な複数の横長な個別収納空間３０を縦横両方向に配列したハニカム構造枠３１とし、さらに各個別収納空間３０の下部には、収納された各角材１１Ａを位置決めするための左右一対の細長い丸棒ストッパ３２を配した点である（図５中、実線の引き出し線が指す部分拡大図）。
【００５５】
ハニカム構造枠３１は、多数のステー２０Ａを横長なジャングルジムのように３次元的に組んだ構造を有している。また、図示しないがハニカム構造枠３１のコーナー部は、長さ方向に所定ピッチで、それぞれ短尺な連結バーを介して、乾燥容器１２の対応するコーナー部に連結されている。これにより、ハニカム構造枠３１および各角材１１Ａの自重によって、ジャケット１５Ａ内のシリカゲル１３が潰れることはない。
また、乾燥容器１２Ｂの内部空間の外周部に配される大型のジャケット１５に代えて、図５中の二点鎖線の引き出し線が指す部分拡大図に示すように、各個別収納空間３０の外周部に配されて、各角材１１Ａを個別に被う角筒状の小型布袋からなる個別ジャケット１５Ｂを採用してもよい。これにより、ハニカム構造枠３１に収納された全ての角材１１Ａを均一に乾燥させることができる。
【００５６】
また、このように、乾燥容器１２Ｂ内に配置されたハニカム構造枠３１の各個別収納空間３０に角材１１Ａを収納し、各角材１１Ａを丸棒ストッパ３２によって位置決めし、さらに各角材１１Ａと支持体１４Ｂとの何れか一方が、シリカゲル１３入りのジャケット１５Ａ，１５Ｂにより被われている。そのため、縦横に整列された複数本の角材１１Ａを、シリカゲル１３により同時に乾燥することができる。しかも、乾燥中に角材１１Ａから染み出した樹液は、ジャケット１５Ａ，１５Ｂの布袋により吸着される。その結果、有機物が粒状のシリカゲル１３の表面に付着することで発生する、樹脂被膜を原因としたシリカげえる１３の機能低下を防止することができる。
その他の構成、作用および効果は、実施例１から推測可能な範囲であるため、説明を省略する。
【００５７】
次に、図６および図７を参考にして、この発明の実施例４に係る植物等乾燥装置を説明する。
図６および図７に示すように、実施例４の植物等乾燥装置１０Ｃの特徴は、実施例３の角材１１Ａに代えて丸太（木材）１１Ｂを採用し、乾燥容器として横長な円筒状の回転ドラム３３を採用し、この回転ドラム３３を、電動モータ（回転駆動部）３４を駆動源としたベルト動力伝達式の回転手段３５によって回転可能に設け、さらにはハニカム構造枠３１の４つのコーナー部を回転ドラム３３の内周面にそれぞれ固定し、各個別収納空間３０のコーナー部に丸太１１Ｂを位置決めする三角ストッパ３６をそれぞれ配置し（図６中の実線引き出し線が示す部分拡大図）、さらにシリカゲル１３を回転ドラム３３の内部空間に、直接、投入した点である。
【００５８】
回転ドラム３３は、その長さ方向の一端部が開口し、この開口部に蓋体が着脱自在にボルト連結されている（図示せず）。また、回転ドラム３３の長さ方向の他端面の中央部と、蓋体の端板の外面の中央部とには、水平方向に延びた一対のドラム軸３７が固着されている。このうち、他端側のドラム軸３７の先端部には、大経な従動プーリ３８が固着されている（図７）。
また、ハニカム構造枠３１の各コーナー部は、回転ドラム３３の内周面にそれぞれ固定されている。そのため、ハニカム構造枠３１および各丸太１１Ｂの自重により、回転ドラム３３に投入されたシリカゲル１３が押し潰されることはない。また、シリカゲル１３の使用量は、回転ドラム３３の回転停止時、全ての丸太１１Ｂがシリカゲル１３に埋没される量である。ただし、それより少なくてもよい。
【００５９】
回転ドラム３３の一側方には電動モータ３４が配されている。その出力軸３４ａの先端部には、駆動プーリ３９が固着され、駆動プーリ３９と従動プーリ３８とには、動力伝達用の無端ベルト４０が掛け渡されている。
電動モータ３４の回転駆動により出力軸３４ａが回転すれば、その回転力は駆動プーリ３９、無端ベルト４０および従動プーリ３８へと順次伝ってドラム軸３７に伝達され、回転ドラム３３が所定方向に所定速度で回転する。その結果、各丸太１１Ｂは、対応する個別収納空間３０に収納状態で、回転ドラム３３と一体的に回転する。このとき、回転ドラム３３に投入されたシリカゲル１３も回転し、丸太１１Ｂの水分が、これと接触するシリカゲル１３に吸収され、丸太１１Ｂが徐々に吸湿乾燥されて行く。
【００６０】
これにより、乾燥中に丸太１１Ｂと接触するシリカゲル１３の総数が、撹拌しない場合に比べて多くなる。その結果、丸太１１Ｂの乾燥効率を高めることができる。
なお、図６中の二点鎖線の引き出し線が指す部分拡大図に示すように、被乾燥物が丸太１１Ｂでなく、角材１１Ａの場合には、各個別収納空間３０の各コーナー部に配された三角ストッパ３６に代えて、各個別収納空間３０の外周部に配され、各角材１１Ａを個別に被う角筒状ストッパ４１を採用してもよい。これにより、ハニカム構造枠３１に収納された木材が角棒状であっても、回転ドラム３３の回転中、各個別収納空間３０で各木材１１Ａ，１１Ｂを確実に位置決めすることができる。
その他の構成、作用および効果は、実施例３から推測可能な範囲であるため、説明を省略する。
【００６１】
次に、図８を参考にして、この発明の実施例５に係る植物等乾燥装置を説明する。
図８に示すように、実施例５の植物等乾燥装置１０Ｄの特徴は、実施例４の回転ドラム３３に代えて、外筒４２と内筒４３とを有した２層式の回転ドラム３３Ａを採用し、また外筒４２の下端部に、内筒４３に収納されたシリカゲル１３を加熱して機能を回復するための電熱ヒータ４４を熱源とした加熱装置４５を設けた点である。
【００６２】
以下、これらの構成体を具体的に説明する。
外筒４２は、軸線が水平なステンレス製の円筒ドラムである。外筒４２の一端面には、外筒蓋によって閉じられる開口が形成されている（図示せず）。外筒４２の他端面の中央部と、外筒蓋の中央部とには、それぞれ軸孔が形成されている。外筒４２の内周面には、内筒４３を回転自在に支持する円弧状の内筒ガイド板４６が約７２°ピッチで配設されている。また、外筒４２の上端部には、ヒータ加熱でシリカゲル１３から蒸発した水分を大気開放する大気開放部４７が設けられている。大気開放部４７は、外筒４２の上端部に形成された天井開口４８に底板４９の中央部が連通する平面視して矩形状のケーシング５０と、このケーシング５０の上面の水分蒸発口５１の形成部にヒンジＨにより連結された大判の蓋板５２とを有している。
【００６３】
内筒４３は、長さ方向の両端部を除いた全面に、シリカゲル１３より小径な多数の通気孔が形成されて、長さ方向の一端面が開口したパンチングメタル製の円筒ドラムである。内筒４３の内部空間には、保形枠１７を有する実施例１と同じ支持体１４が収納されている。保形枠１７には、多数の丸太１１Ｂが横向きに収納されている。また、内筒４３には、外周部の一部に形成されて、蓋止めされた乾燥剤投入口５３から、その内部空間の略全域にシリカゲル１３が充填されている。シリカゲル１３は、大気開放部４７から天井開口４８を通って、乾燥剤投入口５３より内筒４３に供給することができる。
【００６４】
また、内筒４３の長さ方向の一端面に形成された開口は、内筒蓋により塞がれている（図示せず）。この内筒蓋の外側面の中央部と、内筒４３の他端面の中央部とには、それぞれ内筒用ドラム軸の基端部が固着されている。各内筒用ドラム軸の先部は、外筒４２の対応する軸孔から外方へ突出している。このうち、内筒４３の他端側の内筒用ドラム軸の先端部には、大経な駆動プーリ３９が固着されている。なお、図示しないものの回転ドラム３３Ａの一側方には電動モータ３４が配されており、その出力軸３４ａの先端部に固着された従動プーリ３８とこの駆動プーリ３９とが、無端ベルト４０により動力伝達可能に連結されている。
その他の構成、作用および効果は、実施例１から推測可能であるため、説明を省略する。
【００６５】
次に、図８を参照して、実施例５の植物等乾燥装置１０Ｄによる丸太１１Ｂの乾燥方法を説明する。
図８に示すように、この植物等乾燥装置１０Ｄの使用に際しては、まず、保形枠１７内に各丸太１１Ｂを挿入し、内筒４３の内筒蓋および外筒４２の外筒蓋を順次閉じた後、シリカゲル１３を、大気開放部４７から天井開口４８、乾燥剤投入口５３を経て内筒４３に投入して、この乾燥材投入口５３を閉蓋する。
その後、電動モータ３４を回転駆動する。これにより発生した回転力は、駆動プーリ３９、無端ベルト４０、従動プーリ３８を経て水平な各内筒用ドラム軸を介して内筒４３に伝達され、内筒４３が、各内筒ガイド板４６をガイドにして外筒４２内で回転する。
【００６６】
シリカゲル１３の吸湿機能が低下した場合には、電熱ヒータ４４の熱で外筒４２を加熱することにより、内筒４３内のシリカゲル１３を乾燥させる。これにより、シリカゲル１３の機能を回復させることができる。
このとき、電熱ヒータ４４の加熱によって水蒸気が発生するが、その水蒸気は、外筒４２の天井開口４８、大気開放部４７の水分蒸発口５１を介して、大気解放される。これにより、水蒸気が回転ドラム３３Ａ内に留まり、別のシリカゲル１３に吸着されるおそれは少ない。
【００６７】
なお、図９に示すように、例えば、回転ドラム３３Ａを加熱する別の加熱装置４５Ａとして、燃料投入口５４から投入されたバイオマス２４を燃焼炉内で燃焼させ、回転ドラム３３Ａを加熱するものを採用してもよい。この加熱装置４５Ａでは、燃焼炉５５と回転ドラム３３Ａとの間に水蒸気発生用の水タンク５６が配されており、燃焼炉５５で発生した熱の一部で水タンク５６内の水を加熱し、発生した水蒸気を図示しない発電タービンに導入して発電を行う。もちろん、水タンク５６内の水の加熱を電熱ヒータ４４により行ってもよい。また、回転ドラム３３Ａに投入される被乾燥物としては、雑草２３や軽量のバイオマス２４（大重量の植物やバイオマス２４は事前に破砕）が好ましい。もちろん、丸太１１Ｂでもよい。
その他の構成、作用および効果は、実施例４と略同じであるため、説明を省略する。
【００６８】
次に、図１０を参考にして、この発明の実施例６に係る植物等乾燥装置を説明する。
図１０に示すように、実施例６の植物等乾燥装置１０Ｅの特徴は、乾燥容器１２Ｃとして、上端面が開口した縦長で、各面が矩形状の六面体の箱体（コンテナ）を採用し、乾燥容器１２Ｃの下端部に、その内部空間を上下に区分する梁材を格子状に組んだ仕切り枠５７を設け、乾燥容器１２Ｃの仕切り枠５７より下方の下部空間にシリカゲル１３を収納し、仕切り枠５７の上面には、多数の貫通孔５８が表裏面を貫通して形成されたゴム板（弾性板）５９が敷設され、このゴム板５９の上面には、多数の丸太１１Ｂが縦置きされる吸水性を有したスポンジシート（吸水シート材）６０が敷設された点である。
乾燥容器１２Ｃの一側面の下端部には、乾燥容器１２Ｃの下部空間へのシリカゲル１３の投入口６１と、使用済みのシリカゲル１３を取り出すための排出口６２とが離間して形成されている。また、乾燥容器１２Ｃの上面開口には、上蓋６３が着脱自在に連結される。
【００６９】
次に、図１０を参照して、この実施例６の植物等乾燥装置１０Ｅによる丸太１１Ｂの乾燥方法を説明する。
図１０に示すように、植物等乾燥装置１０Ｅの使用に際しては、まず、投入口６１を介して乾燥容器１２Ｃの下部空間にシリカゲル１３を充填する。その後、乾燥容器１２Ｃの上端開口から各丸太１１Ｂを容器内に挿入して、それぞれスポンジシート６０の上に縦置きし、乾燥容器１２Ｃの上面開口を上蓋６３により閉じる。この状態で、所定期間、シリカゲル１３を適宜交換しながら丸太１１Ｂを放置する。
乾燥中、丸太１１Ｂから染み出した樹液はスポンジシート６０が吸着する。一方、丸太１１Ｂの表面から蒸発した水分は、スポンジシート６０とゴム板５９の貫通孔５８とを順次通過し、シリカゲル１３により吸収される。これにより、樹液が粒状のシリカゲル１３の表面に付着して生じる乾燥機能の低下を防ぎながら、丸太１１Ｂを効果的に乾燥させることができる。
その他の構成、作用および効果は、実施例１と略同じであるため、説明を省略する。
【００７０】
次に、図１１を参考にして、この発明の実施例７に係る植物等乾燥装置を説明する。
図１１に示すように、実施例７の植物等乾燥装置１０Ｆの特徴は、乾燥容器１２Ｄとして、前面が開口した縦長で、各面が矩形状の六面体からなる箱体を採用し、その内部空間が、多数の通気孔６４を有する上下２枚の矩形状をした仕切り板６５により、上層空間６６と、中間層空間６７と、下層空間６８とに区分されたもので、各仕切り板６５の通気孔６４の形成部分には、それぞれ吸水性を有した織布製で矩形状の吸水シート（吸水シート材）６９を載置し、乾燥容器１２Ｄの下層空間６８には、被乾燥物である残渣１１Ｃを収納し、また中間層空間６７には活性炭（消臭剤）２９を収納し、さらに上層空間６６にはシリカゲル１３を収納した点である。なお、乾燥容器１２Ｄの開口する前面には、着脱自在に前蓋７０が連結される。
【００７１】
図１１に示すように、実施例７の植物等乾燥装置１０Ｆの使用に際しては、乾燥容器１２Ｄの下層空間６８に残渣１１Ｃを配置し、中間層空間６７の吸水シート６９の上に活性炭２９を配置するとともに、上層空間６６の吸水シート６９の上にシリカゲル１３を配置して、前蓋７０を閉める。この状態で２日間放置する。これにより、残渣１１Ｃから発生した臭い成分と水分とが、下側の仕切り板６５の各通気孔６４と、下側の吸水シート６９とを通過して、中間層空間６７に流れ込む。ここで、中間層空間６７に配された活性炭２９によって残渣１１Ｃの臭い成分が吸着される。その後、残渣１１Ｃから気化した水分は、上側の仕切り板６５の各通気孔６４と上側の吸水シート６９とを順次通過し、上層空間６６に流れ込み、シリカゲル１３に吸着される。その結果、残渣１１Ｃから発生する臭いを除去しながら、残渣１１Ｃの除湿乾燥を行うことができる。
その他の構成、作用および効果は、実施例１から推測可能であるため、説明を省略する。
【００７２】
次に、図１２および図１３を参照して、この発明の実施例８に係る植物等乾燥装置を説明する。
図１２に示すように、実施例８の植物等乾燥装置１０Ｇの特徴は、被乾燥物がおから（残渣）１１Ｄで、乾燥容器１２Ｅは、上面が開口して六面が矩形状の箱体で、乾燥容器１２Ｅには、各上面が開口した布袋からなる複数の袋エレメント７１を並列状態で連結した蛇腹状ジャケット７２が収納され、支持体は、乾燥容器１２Ｅの開口部分に櫛歯状に横架された複数の支持枠７３とした点である。
【００７３】
図１２および図１３に示すように、乾燥容器１２Ｅは横長な矩形箱で、その上面の開口は、矩形状の蓋板７４によって開閉自在となっている。
袋エレメント７１は、縦長な矩形状の袋体である。
蛇腹状ジャケット７２は、４０個の袋エレメント７１を所定ピッチで連結したものである。隣接する袋エレメント７１は、各開口部分の対峙した端部同士が、短冊状の連結布７５によって連結されている。
乾燥容器１２Ｅの開口部分には、長さ方向に所定ピッチで、合計３９本のステンレス棒からなる支持枠７３が平行配置されている。
【００７４】
図１２および図１３に示すように、実施例８の植物等乾燥装置１０Ｇの使用に際しては、蛇腹状ジャケット７２の各袋エレメント７１におから１１Ｄを収納した状態で、各袋エレメント７１間の連結布７５を、シリカゲル１３が充填された乾燥容器１２Ｅの開口部分に横架された各支持枠７３により支持する。これにより、おから１１Ｄが投入された各袋エレメント７１は、櫛歯状の各支持枠７３に支持（吊下）された状態で、シリカゲル１３に埋没される。
このとき、各袋エレメント７１は櫛歯状の各支持枠７３により支持されている。そのため、おから１１Ｄの重量でシリカゲル１３が潰れることはなく、多量のおから１１Ｄを一度に乾燥させることができる。
その後、乾燥容器１２Ｅの開口を蓋板７４により閉じて放置し、その後、適宜期間が経過するごとに蓋板７４を開けてのシリカゲル１３の交換を行う。
その他の構成、作用および効果は、実施例１から推測可能な範囲であるため、その説明を省略する。
【産業上の利用可能性】
【００７５】
この発明は、動植物またはその加工品、さらにはその残渣を乾燥剤により乾燥させるための技術として有用である。
【符号の説明】
【００７６】
１０，１０Ａ〜１０Ｇ  植物等乾燥装置、
１１  伐木（被乾燥物）、
１１Ａ  角材（木材、被乾燥物）、
１１Ｂ  丸太（木材、被乾燥物）、
１１Ｃ  残渣（被乾燥物）、
１１Ｄ  おから（残渣、被乾燥物）、
１２，１２Ａ〜１２Ｅ  乾燥容器、
１３  シリカゲル（乾燥剤）、
１４，１４Ａ、４Ｂ  支持体、
１５，１５Ａ  ジャケット、
１５Ｂ  個別ジャケット（ジャケット）、
１７  保形枠、
２６  入れ子ジャケット、
２７  芯側空間、
２８  鞘側空間、
２９  活性炭（消臭剤）、
３０  個別収納空間、
３１  ハニカム構造枠、
３２  丸棒ストッパ（ストッパ）、
３３，３３Ａ  回転ドラム（乾燥容器）、
３４  電動モータ（回転駆動部）、
３５  回転手段、
３６  三角ストッパ（ストッパ）、
４１  角筒状ストッパ（ストッパ）、
５７  仕切り枠、
５８  貫通孔、
５９  ゴム板（弾性板）、
６０  スポンジシート（吸水シート材）、
６４  通気孔、
６５  仕切り板、
６６  上層空間、
６７  中間層空間、
６８  下層空間、
６９  吸水シート（吸水シート材）、
７１  袋エレメント、
７２  蛇腹状ジャケット（ジャケット）、
７３  支持枠。
【図１】
2019082267.tif 000003
【図２】
2019082267.tif 000004
【図３】
2019082267.tif 000005
【図４】
2019082267.tif 000006
【図５】
2019082267.tif 000007
【図６】
2019082267.tif 000008
【図７】
2019082267.tif 000009
【図８】
2019082267.tif 000010
【図９】
2019082267.tif 000011
【図１０】
2019082267.tif 000012
【図１１】
2019082267.tif 000013
【図１２】
2019082267.tif 000014
【図１３】
2019082267.tif 000015